(57)【要約】【課題】機能不良を起こすことがないコネクタを提供すること。【解決手段】複数のピン状接触部材２を収容する収容部を有する接触部材支持部１と、ピン状接触部２に接触するコンタクトピン４を有するアセンブリ接続部３と、接触部材支持部１において少なくとも２つの位置に位置決め可能なケーシング部５とを備えた電気的なＺＩＦコネクタにおいて、ケーシング部５の摺動により、まず、第１レバーアーム８の一部を摺動させ、これによって、ケーシング部５に当接する第２レバーアーム９において弾性応力を生じさせ、ケーシング部５が最終位置に至ったときに、第２レバーアーム９を、係合音を伴いつつケーシング部５又はケーシング部５の後部に係合させた。
2013513911.tif 000002
【特許請求の範囲】
【請求項１】
複数のピン状接触部材（２）を収容する収容部を有する接触部材支持部（１）と、
前記ピン状接触部（２）に接触するコンタクトピン（４）を有するアセンブリ接続部（３）と、
前記接触部材支持部（１）において少なくとも２つの位置に位置決め可能なケーシング部（５）と
を備えた電気的なＺＩＦコネクタであって、前記ピン状接触部材（２）が、それぞれ接触ディスクを形成する本体部（１６）と、該本体部（１６）に対して摺動可能なドウェルピン（２１）とを備えており、
前記アセンブリ接続部（３）が、その前記接触部材支持部（１）との結合時に前記ケーシング部（５）と前記接触部材支持部（１）の間の摺動補助部材（６）を解放し、
前記ケーシング部（５）の前記接触部材支持部（１）に対する摺動により、前記ドウェルピン（２１）が前記ピン状接触部（２）における前記本体部（１６）に沿って摺動するとともに、前記ドウェルピン（２１）が前記接触ディスクを前記アセンブリ接続部（３）の前記コンタクトピン（４）へ押圧し、
前記接触部材支持部（１）が双腕式のレバー（７）を支持し、前記ケーシング部（５）の摺動により、前記レバー（７）の第１レバーアーム（８）が前記アセンブリ接続部（３）に係合するよう構成された前記ＺＩＦコネクタにおいて、
前記ケーシング部（５）の摺動により、まず、前記第１レバーアーム（８）の一部を摺動させ、これによって、前記ケーシング部（５）に当接する第２レバーアーム（９）において弾性応力を生じさせ、
前記ケーシング部（５）が最終位置に至ったときに、前記第２レバーアーム（９）を、係合音を伴いつつ前記ケーシング部（５）又は前記ケーシング部（５）の後部に係合させた
ことを特徴とするＺＩＦコネクタ。
【請求項２】
前記ケーシング部（５）又は前記ケーシング部（５）の後部に係合した前記第２レバーアーム（９）により前記ケーシング部（５）をロックするよう構成したことを特徴とする請求項１記載のＺＩＦコネクタ。
【請求項３】
前記レバー（７）と前記アセンブリ接続部（３）の係合を鉤状又は取っ手状の突起部（１２，１３）により形成したことを特徴とする請求項１記載のＺＩＦコネクタ。
【請求項４】
前記ケーシング部（５）又は前記ケーシング部（５）の後部に係合した前記第２レバーアーム（９）を、摺動可能なロックバー（１１）によりロック可能に形成したことを特徴とする請求項１記載のＺＩＦコネクタ。
【請求項５】
前記ケーシング部（５）に操作プレート（１０）を設け、該操作プレート（１０）により押圧操作を前記第２レバーアーム（９）へ伝達するとともに前記ケーシング部（５）又は前記ケーシング部（５）の後部に係合した前記第２レバーアーム（９）をその係合位置から離脱させて、前記レバー（７）と前記アセンブリ接続部（３）の間の係合を解除するよう構成したことを特徴とする請求項１記載のＺＩＦコネクタ。
【発明の詳細な説明】
【技術分野】
【０００１】
本発明は、複数のピン状接触部材を収容する主要部を有する接触部材支持部と、前記ピン状接触部に接触するコンタクトピンを有するアセンブリ接続部と、前記接触部材支持部において少なくとも２つの位置に位置決め可能なケーシング部とを備えた電気的なＺＩＦコネクタであって、前記ピン状接触部材が、それぞれ接触ディスクを形成する本体部と、該本体部に対して摺動可能なドウェルピンを備えており、前記アセンブリ接続部が、その前記接触部材支持部との結合時に前記ケーシング部と前記接触部材支持部の間の摺動補助部材を解除し、前記ケーシング部の前記接触部材支持部に対する摺動により、前記ドウェルピンが前記ピン状接触部における前記本体部に沿って摺動するとともに、前記ドウェルピンが前記接触ディスクを前記アセンブリ接続部の前記コンタクトピンへ押圧し、前記接触部材支持部が双腕式のレバーを支持し、前記ケーシング部の摺動により、前記レバーの第１レバーアームが前記アセンブリ接続部に係合するよう構成された前記ＺＩＦコネクタに関するものである。
【背景技術】
【０００２】
上記のようなＺＩＦコネクタは、特許文献１に開示されている。このＺＩＦコネクタは、２つのケーシング部を備えており、この特許文献１には、それぞれ包囲ケーシング及び固定ケーシングと記載されている。これらケーシング部は、互いに２つの係合位置を占めることができるようになっており、これらケーシング部が相対的に第１の係合位置にある場合には、包囲ケーシングに結合されたドウェルピンによりピン状接触部材が開放されたまま維持される。そのため、アセンブリ接続部として記載されたコネクタのコンタクトピンは、抵抗なくピン状接触部材に結合されるようになっている。また、アセンブリ接続部の結合により、ケーシング部間の係合が解除されるとともに、ケーシング部が互いに第２位置へもたらされる。なお、この第２位置においては、ピン状接触部材における接触ディスクがドウェルピンによってアセンブリ接続部のコンタクトピンへ押圧されるようになっている。
【０００３】
このような係合メカニズムは接触要素を抵抗なく嵌挿できるよう機能するものであり、ピン状接触部材における接触ディスクとコンタクトピンの間の接触力は、コネクタ部材の結合の最終段階で初めて発生するようになっている。そして、機械的な負荷が互いに結合された接触要素へ伝達されないよう、又は接触要素の結合が解除されるように、弾性的なロッカレバーが包囲ケーシングの外壁部に形成されている。アセンブリ接続部への結合時には、ロッカレバーの弾性アームがアセンブリ接続部における係合突起へ係合し、これにより両コネクタ結合部材が互いに係合することになる。また、これら両コネクタ結合部材を必要に応じて分離するための係合解除は、ロッカレバーの開放されている方の弾性アームを押圧することによってなされる。
【０００４】
従来のコネクタ部材の結合時には、一方では包囲ケーシング及び固定ケーシングの係合により、他方では包囲ケーシングにおけるロッカレバーのアセンブリ接続部への係合により、２つの音（聴覚）又は触覚により知覚可能な係合音や係合感覚が発生する。なお、これらの係合音や係合感覚は、短時間のうちに連続して発生する。
【０００５】
また、従来のコネクタにおいては、作動している状態において１つのみの係合音しか生じないため、この係合音を知覚すると、コネクタの結合が正確に行われていなくても、これが正確に行われたものと勘違いすることがある。さらに、各コネクタ部材間で機械的な係合がされていないと、機械的な影響がコネクタに作用する場合に、機能不良を引き起こすとともに、特に安全性を重視する用途において危険にさらされてしまうことがある。
【先行技術文献】
【特許文献】
【０００６】
【特許文献１】独国特許出願公開第１０２００５０４０９５２号明細書
【発明の概要】
【発明が解決しようとする課題】
【０００７】
本発明は上記問題に鑑みてなされたもので、その目的とするところは、上記のような機能不良を起こすことがないコネクタを提供することにある。
【課題を解決するための手段】
【０００８】
上記目的は、本発明により、ケーシング部の摺動により、まず、第１レバーアームの一部を摺動させ、これによって、ケーシング部に当接する第２レバーアームにおいて弾性応力を生じさせ、ケーシング部が最終位置に至ったときに、第２レバーアームを、係合音を伴いつつケーシング部又はケーシング部の後部に係合させたことによって達成される。
【発明の効果】
【０００９】
本発明によれば、結合過程において接触力の作用とコネクタ部材の互いの固定が前後して行われ、第２の結合過程が終了して初めて、聴覚又は触覚により知覚可能な反応が正確な取付に対する信号として生じるようになっている。
【図面の簡単な説明】
【００１０】
【図１】コネクタ部材の構成部材を示す分解図である。
【図２】コネクタ部材をアセンブリ接続部に結合させる際の一過程を示す断面図である。
【図３】コネクタ部材をアセンブリ接続部に結合させる際の一過程を示す断面図である。
【図４】コネクタ部材をアセンブリ接続部に結合させる際の一過程を示す断面図である。
【図５】コネクタ部材をアセンブリ接続部に結合させる際の一過程を示す断面図である。
【発明を実施するための形態】
【００１１】
以下に本発明の実施の形態を添付図面に基づいて説明する。
【００１２】
図１には接触部材支持部１が示されており、この接触部材支持部１は、複数のピン状接触部材２を収容するとともに収容空間部２０において固定することができるものとなっている。ここで、ピン状接触部材２の前部は、接触部材支持部１に結合されるカバー部材１５まで延在している。
【００１３】
ピン状接触部材２は、それぞれ圧着接続部１７を介して接続配線１８に接続された本体部１６で構成されている。ここで、接続配線１８は、シール用ゴム１９で包囲されており、接触部材支持部１における収容空間部２０へのピン状接触部材２の設置後、収容空間部２０に湿気が侵入するのを防止するようシールするものとなっている。
【００１４】
各ピン状接触部２はその本体部１６において摺動可能に配置されたドウェルピン２１を備えており、このドウェルピン２１は、その摺動位置において接触ディスクに対して互いに変位するようになっている。図１において不図示のアセンブリコネクタの接触ピンが本体部１６へ嵌入されていれば、前記接触ディスクは、前記摺動位置において接触ピンに対して押圧される。これにより、確実な電気接触が形成されることになる。
【００１５】
一方、ドウェルピン２１が逆の摺動位置にある場合には、接触ピンには何ら接触力が作用せず、この接触ビンを抵抗なくピン状接触部材２の本体部１６へ挿入したり、この本体部１６から離間させることが可能である。このようなピン状接触部材の構造及び機能についての更なる詳細は、特許文献１に記載されている。
【００１６】
また、ドウェルピン２１は、取り付けられたコネクタ部においてケーシング部５に結合されているとともに、このケーシング部５の摺動により、接触部材支持部１に対して共に移動されて操作される。ここで、ケーシング部５は、接触部材支持部１を包囲するとともに、この接触部材支持部１においてその長手方向へ摺動可能なスリーブのような形状を有している。
【００１７】
また、接触部材支持部１の内部には、レバー７が支持部２２において回動可能に配置されている。このレバー７は合成樹脂片で構成されており、この合成樹脂片は、その一端において係止爪１３を有するとともに他端において係止部材２４を備えるものとなっている。また、レバー７の中央部にはその長手方向に対して垂直なスタブアクスル１４が設けられており、このスタブアクスル１４は、接触部材支持部１の支持部２２における収容部へ嵌挿することが可能となっている。これにより、レバー７が物理的な意味において双腕式のレバーを形成することになる。さらに、ケーシング部５に対して摺動可能なロックバー１１により、ケーシングが正しく係止された場合に、少なくとも１つのレバー位置においてレバー７のロックが可能となっている。
【００１８】
図２〜図５には、複数のコンタクトピン４を有するアセンブリ接続部３へのコネクタの結合における様々な取付過程がそれぞれ示されている。
【００１９】
図２には結合過程における開始時点のものが示されており、アセンブリ接続部３のコンタクトピン４が、まず、部分的にピン状接触部材２へ挿入されている。図示のように、カバー部材１５の下側とアセンブリ接続部３の基面の間には中間室２５が形成されている。なお、この状態においては、コネクタ部材が完全には結合されていない。
【００２０】
ところで、ドウェルピン２１に結合されたケーシング部４が、接触部材支持部１に対して、ドウェルピン２１によりピン状接触部材２がコンタクトピン４の挿入のために開かれた状態に維持される位置にあるため、コンタクトピン４のピン状接触部材２への嵌入は抵抗なくなされる。このような位置決めは、摺動補助部材６によって規定され、この摺動補助部材６により、このような取付過程においてケーシング部５の接触部材支持部１に対する摺動が阻止されるようになっている。
【００２１】
また、１つの点によって双腕式のレバー７の回転軸２９が示されており、ここでは、図１に示す両スタブアクスル１４を通る仮定の長手軸で切った切断面が示されている。この結合過程において、レバー７に形成された係止爪１３は、アセンブリ接続部３に形成された第１突起部１２の高さとほぼ同じ高さに配置されている。また、アセンブリ接続部３は、第１突起部１２とは反対側に第２突起部２３を備えており、この第２突起部２３は、この結合過程において、ケーシング部５における湾曲した壁面部２６へ突出するようになっている。なお、この壁面部２６は、摺動補助部材６の一部として形成されている。
【００２２】
図３に示された次の結合過程においては、カバー部材１５の下側がアセンブリ接続部３の基面へ達し、コンタクトピン４のピン状接触部材２への挿入が完了する。
【００２３】
そして、レバー７における係止爪１３はアセンブリ接続部３における第１突起部１２の下方へ位置しているが、レバー７におけるレバーアーム８，９にはこれを摺動させるような操作力が作用せず、また、弾性的な付勢もなされていないため、前記係止爪１３はまだ前記第１突起部１２へ係合していない。一方、湾曲した壁面部２６は、アセンブリ接続部３における第２突起部２３に当接する。これにより、摺動補助部材６が解除される、すなわち、ケーシング部５と接触部材支持部１の間の係合が解除される。このため、ケーシング部５は、接触部材支持部１に対して摺動可能となる。
【００２４】
そして、ケーシング部５の接触部材支持部１に対する摺動時には、ケーシング部５に結合されたドウェルピン２１が接触部材支持部１に結合された本体部１６に対して摺動する（不図示）。そのため、ピン状接触部２からコンタクトピン４への接触力が作用し、完全な電気接続が形成される。
【００２５】
そして、図４に示すように、ケーシング部５の接触部材支持部１に対する摺動時又は摺動後に、ケーシング部５の一部である舌状部分２７がアセンブリ接続部３方向へ摺動する。これにより、舌状部分２７は、係止爪１３の後方部分２８に当接するとともに、係止爪１３の前部を第１突起部１２の下方へと押圧し、レバー７をアセンブリ接続部３と係合させる。このような位置においては、係止爪１３は、アセンブリ接続部３及び舌状部分２７によって両側から包囲されているとともにロックされている。
【００２６】
また、舌状部分２７による係止爪１３の側方への摺動により、レバー７における第１レバーアーム８がその回転軸２９回りに回転する。ただし、このとき、第２レバーアーム９の摺動は舌状部分２７の上部によって阻止されているため、レバー７において弾性応力が発生する。また、舌状部分２７の下方への垂直な移動時には第２レバーアーム９が最終的に解除され、この第２レバーアーム９は、舌状部分２７の縁部３１の下方で、その弾性応力により係止部材２４に係合し、これによりケーシング部５がロックされる。このとき、係合音が発生するとともに、節度感（クリック感）が生じるようになっている。
【００２７】
そして、第２レバーアーム９は、ケーシング部５に対して摺動可能なロックバー１１により到達位置に保持されている。このように互いに完全に結合されたコネクタ部材が図５に示されている。
【００２８】
したがって、コネクタ部材の結合時に弾性力によって生じ、聴覚又は触覚によって知覚される唯一の係合は、全ての関連する結合過程まで（ロックバー１１の摺動するまで（その光路上における位置が制御可能））生じる。また、このような係合は、これ以前の取付過程の正確な経過が前提となっている。すなわち、レバーアーム８，９において弾性応力を発生されるためには、ケーシング部５の接触部材支持部１に対する摺動が必要である。そして、この摺動は、摺動補助部材６が解除される場合にのみ可能となっている。また、このような解除は、接触部材支持部１がアセンブリ接触部３においてその最終位置に到達することが前提となっている。これにより、ピン状接触部材２とコンタクトピン４の間の電気接触が正確になされるようになっている。そのため、係合音を、正確かつ完全なコネクタの取付の確認信号として使用することが可能である。
【００２９】
ところで、レバー７により形成されるアセンブリ接続部３と接触部材支持部１の間の係合は、セルフロック式に形成されている。また、舌状部分２７により、レバー７の第１レバーアーム８における係止爪１３がアセンブリ接続部３における第１突起部１２の下方で押圧（係合）される。舌状部分２７の摺動がレバー８における第２レバーアーム９によりブロックされるため、このような係合は、ケーシング部５の摺動により容易に解除されるものとはなっていない。
【００３０】
ここで、工具を必要とすることなく必要に応じてコネクタ部材の分離を可能にするために、操作プレート１０を設けるのが好ましい。この操作プレート１０により、結合されたコネクタ部材の分離を容易に開始することが可能である。
【００３１】
この操作プレート１０は、舌状部分２７に対して平行に変位可能な薄片として形成されており、その一端が舌状部分２７に形成されている。一方、他端は、操作ボタン３０を形成している。この操作ボタン３０は、当該操作ボタン３０が舌状部分２７の後方で係合するレバー７の一部に当接するよう形成及び配置されている。そして、この操作ボタン３０を押圧すると、その背面により、係合した第２レバーアーム９が舌状部分２７の縁部３１から離間し、これにより、舌状部材２７のロックが解除される。これと同時に、舌状部分２７の回動により、係合爪１３への負荷がなくなる。
【００３２】
そして、第２レバーアーム９への圧力の作用により、回動動作が回転軸２９を介して第１レバーアーム８へ伝達される。また、この回動動作により、係止爪１３がアセンブリ接続部３における第１突起部１２から離間する。これにより、係止爪１３とアセンブリ接続部３の係合も解除される。そして、ケーシング部５が接触部材支持部１に対して摺動可能となり、この摺動のために、接触力が解除されるようドウェルピン２１に対して力を作用させるだけでよい。
【符号の説明】
【００３３】
１            接触部材支持部
２            ピン状接触部材
３            アセンブリ接続部
４            コンタクトピン
５            ケーシング部
６            摺動補助部材
７            レバー
８            第１レバーアーム
９            第２レバーアーム
１０          操作プレート
１１          ロックバー
１２          第１突起部
１３          係止爪
１４          スタブアクスル
１５          カバー部材
１６          本体部
１７          圧着接続部
１８          接続配線
１９          シール用ゴム
２０          収容空間部
２１          ドウェルピン
２２          支持部
２３          第２突起部
２４          係止部材
２５          中間室
２６          壁面部
２７          舌状部分
２８          後方部分
２９          回転軸
３０          操作ボタン
３１          縁部
【図１】
2013513911.tif 000003
【図２】
2013513911.tif 000004
【図３】
2013513911.tif 000005
【図４】
2013513911.tif 000006
【図５】
2013513911.tif 000007
【国際調査報告】
2013513911.tif 000008
2013513911.tif 000009
2013513911.tif 000010
2013513911.tif 000011
2013513911.tif 000012
2013513911.tif 000013